(57)【要約】【課題】浴槽内の水位が低いときも、当該浴槽からの排水をスムーズに行うことができる浴室ユニットの排水構造を提供する。【解決手段】浴室ユニットの排水構造は、浴槽及び防水パンからの排水を行い、浴室ユニット用排水弁１を有する。浴室ユニット用排水弁１は、浴槽側排水孔３と、防水パン側排水孔４とを有する本体２と、本体２の下方に回転可能に支持された折曲部５１を有し、当該折曲部５１を基点とした揺動により、閉塞部５２及び５３が、排水孔３及び４を交互に閉じることができる閉塞板５とを備えている。閉塞板５は、浴槽からの排水を行わない場合及び浴槽からの排水が完了した場合、排水孔３を閉じていると共に排水孔４を開いており、浴槽内の水位Ｌが所定水位Ｌｓよりも高い水位で、前記浴槽からの排水が行われると、排水孔３を開くと同時に排水孔４を閉じ、次いで、水位Ｌが設定水位Ｌｓ以下になると、前記浴槽からの排水が完了するまで、水位Ｌの低下に従って、排水孔３を閉じていきつつ排水孔４を開いていく。【選択図】図４Ｂ
2019011650.tif 000002
【特許請求の範囲】
【請求項１】
浴槽と、前記浴槽の下方に配置された防水パンと、からの排水を行う、浴室ユニットの排水構造であって、
浴室ユニット用排水弁を有し、前記浴室ユニット用排水弁は、
前記浴槽からの排水を行う浴槽側排水孔と、前記防水パンからの排水を行う防水パン側排水孔とを有する本体と、
前記本体の下方に回転可能に支持された折曲部を有し、当該折曲部を基点とした揺動により、前記折曲部の両側に設けられた浴槽側閉塞部及び防水パン側閉塞部が、前記浴槽側排水孔と、前記防水パン側排水孔とを交互に閉じることができる閉塞板とを備え、
前記閉塞板は、
前記浴槽からの排水を行わない場合及び前記浴槽からの排水が完了した場合、前記浴槽側排水孔を閉じていると共に前記防水パン側排水孔を開いており、
前記浴槽内の水位が所定水位よりも高い水位で、前記浴槽からの排水が行われると、前記浴槽側排水孔を開くと同時に前記防水パン側排水孔を閉じ、
次いで、前記浴槽内の水位が前記所定水位以下になると、前記浴槽からの排水が完了するまで、前記水位の低下に従って、前記浴槽側排水孔を閉じていきつつ前記防水パン側排水孔を開いていくものである、浴室ユニットの排水構造。
【請求項２】
前記閉塞板は、前記浴槽側閉塞部と前記防水パン側閉塞部とを異なる材料とすることによって構成されたものである、請求項１に記載の浴室ユニットの排水構造。
【請求項３】
前記閉塞板は、前記防水パン側閉塞部を、前記浴槽側閉塞部よりも比重の大きな材料とすることによって構成されたものである、請求項１又は２に記載の浴室ユニットの排水構造。
【請求項４】
前記閉塞板は、前記防水パン側閉塞部にバランサを有し、前記バランサは、当該バランサを除く前記閉塞板よりも比重の大きな材料とすることによって構成されたものである、請求項１乃至３のいずれか１項に記載の浴室ユニットの排水構造。
【請求項５】
前記防水パン側閉塞部の先端側に前記バランサを有している、請求項４に記載の浴室ユニットの排水構造。
【発明の詳細な説明】
【技術分野】
【０００１】
本発明は、浴室ユニットの排水構造に関するものである。
【背景技術】
【０００２】
浴室ユニットの排水構造には、浴槽からの排水と、前記浴槽の下方に配置された防水パンからの排水とを交互に行うことで、一方からの排水時における他方への逆流を防止するものがある（例えば、特許文献１参照。）。
【０００３】
特許文献１に記載の浴室ユニットの排水構造は、浴槽側排水孔と防水パン側排水孔とを有する本体の下方に閉塞板を配置している。前記閉塞板は、前記本体の下方に回転可能に支持された折曲部を有し、浴槽からの排水が行われると、前記浴槽側排水孔を開くと同時に前記防水パン側排水孔を閉じ、前記浴槽からの排水が完了すると、前記浴槽側排水孔を閉じると同時に前記防水パン側排水孔を開く。これにより、前記浴槽からの排水が行われるときには、当該排水がスムーズに行われ、また、当該排水が完了した後には、例えば、防水パン又は洗い場からの大量の排水があったとしても、当該排水が逆流することがない。
【先行技術文献】
【特許文献】
【０００４】
【特許文献１】特開２０００−３１９９６５号公報
【発明の概要】
【発明が解決しようとする課題】
【０００５】
しかしながら、上記の浴室ユニットの排水構造では、前記浴槽内の水位が低水位の場合には、当該浴槽からの排水が十分スムーズに行われず、例えば、前記浴槽からの排水が完了した後に当該浴槽を清掃した場合、洗剤の泡が流れ難い状況が生じることがあった。
【０００６】
本発明の目的は、浴槽内の水位が低いときも、当該浴槽からの排水をスムーズに行うことができる浴室ユニットの排水構造を提供することである。
【課題を解決するための手段】
【０００７】
本発明に係る浴室ユニットの排水構造は、浴槽と、前記浴槽の下方に配置された防水パンと、からの排水を行う、浴室ユニットの排水構造であって、浴室ユニット用排水弁を有し、前記浴室ユニット用排水弁は、前記浴槽からの排水を行う浴槽側排水孔と、前記防水パンからの排水を行う防水パン側排水孔とを有する本体と、前記本体の下方に回転可能に支持された折曲部を有し、当該折曲部を基点とした揺動により、前記折曲部の両側に設けられた浴槽側閉塞部及び防水パン側閉塞部が、前記浴槽側排水孔と、前記防水パン側排水孔とを交互に閉じることができる閉塞板とを備え、前記閉塞板は、前記浴槽からの排水を行わない場合及び前記浴槽からの排水が完了した場合、前記浴槽側排水孔を閉じていると共に前記防水パン側排水孔を開いており、前記浴槽内の水位が所定水位よりも高い水位で、前記浴槽からの排水が行われると、前記浴槽側排水孔を開くと同時に前記防水パン側排水孔を閉じ、次いで、前記浴槽内の水位が前記所定水位以下になると、前記浴槽からの排水が完了するまで、前記水位の低下に従って、前記浴槽側排水孔を閉じていきつつ前記防水パン側排水孔を開いていくものである。
本発明に係る浴室ユニットの排水構造によれば、浴槽内の水位が低いときも、当該浴槽からの排水をスムーズに行うことができる。
【０００８】
本発明に係る浴室ユニットの排水構造において、前記閉塞板は、前記浴槽側閉塞部と前記防水パン側閉塞部とを異なる材料とすることによって構成されたものとすることができる。
この場合、浴槽側閉塞部の材料と防水パン側閉塞部の材料とを適宜選択することにより、閉塞板の動作性能を自由に設定することができる。
【０００９】
本発明に係る浴室ユニットの排水構造において、前記閉塞板は、前記防水パン側閉塞部を、前記浴槽側閉塞部よりも比重の大きな材料とすることによって構成されたものとすることが好ましい。
この場合、簡易な構成で、低水位時の浴槽からの排水をスムーズに行うことができる。
【００１０】
本発明に係る浴室ユニットの排水構造において、前記閉塞板は、前記防水パン側閉塞部にバランサを有し、前記バランサは、当該バランサを除く前記閉塞板よりも比重の大きな材料とすることによって構成されたものとすることができる。
この場合、例えば、適当なバランサを適宜選択し、当該バランサを閉塞板に取り付けるだけの簡単な作業により、簡易に、閉塞板の動作性能を自由に設定することができる。
【００１１】
本発明に係る浴室ユニットの排水構造は、前記防水パン側閉塞部の先端側に前記バランサを有していることが好ましい。
この場合、浴槽からの排水が行われるときの、当該排水に対する閉塞板の応答性能が高まるため、浴槽からの排水をより迅速かつスムーズに行うことができる。
【発明の効果】
【００１２】
本発明によれば、浴槽内の水位が低いときも、当該浴槽からの排水をスムーズに行うことができる浴室ユニットの排水構造を提供することができる。
【図面の簡単な説明】
【００１３】
【図１】本発明の一実施形態に係る浴室ユニットの排水構造の一例を示す要部断面図である。
【図２】図１の要部拡大断面図である。
【図３Ａ】図１に示す浴室ユニットの排水構造に採用可能な、浴室ユニット用排水弁を示す側面図である。
【図３Ｂ】図３Ａの上面図である。
【図４Ａ】前記浴槽からの排水を行わない場合及び当該浴槽からの排水が完了した場合の、図３Ａ及び図３Ｂに示す浴室ユニット用排水弁の状態を示す断面図である。
【図４Ｂ】図１の浴槽内の水位が設定水位よりも高い場合であって、当該浴槽からの排水が行われているときの、図３Ａ及び図３Ｂに示す浴室ユニット用排水弁の状態を示す断面図である。
【図４Ｃ】前記浴槽内の水位が設定水位以下である場合であって、当該浴槽からの排水が行われているときの、図３Ａ及び図３Ｂに示す浴室ユニット用排水弁の状態を示す断面図である。
【発明を実施するための形態】
【００１４】
以下、図面を参照して、本発明の一実施形態に係る、浴室ユニットの排水構造について説明する。
【００１５】
図１には、本発明の一実施形態に係る、浴室ユニットの排水構造の一例を示す。本実施形態に係る、浴室ユニットの排水構造は、浴槽と、前記浴槽の下方に配置された防水パンと、からの排水を行う、浴室ユニットの排水構造である。
【００１６】
図１中、符号１０は、浴槽である。浴槽１０は、底部１１と、底部１１の外縁に沿って起立する周壁部１２とを有している。浴槽１０の底部１１には、排水口１３が設けられている。排水口１３は、底部１１の内面（以下、「浴槽１０の内底面」ともいう。）１１ｆに開口している。この例では、浴槽１０の内底面１１ｆは、平面で構成されている。浴槽１０の内底面１１ｆが段差を形成している場合、排水口１３は、浴槽１０の内底面１１ｆのうちの最も低い高さの内底面１１ｆに開口している。図１では省略されているが、当該図１では、浴槽１０の排水口１３は、図示せぬ栓によって閉じられている。浴槽１０内に溜まった液体（例えば、お湯、洗い水）Ｗ１の排水は、浴槽１０の排水口１３から前記栓を抜くことによって行うことができる。
【００１７】
符号２０は、浴槽１０の下方に配置された防水パンである。この例では、防水パン２０は、浴室の洗い場と連なっており、当該洗い場に開放されている。防水パン２０は、底部２１と、底部２１の外縁に沿って起立する周壁部２２とを有している。但し、防水パン２０が洗い場と連なることなく、後述するトラップ４２が洗い場に連なっていてもよい。防水パン２０には、コネクタ３０を介して排水部４０が接続されている。
【００１８】
図２は、図１の要部拡大図である。この例では、防水パン２０の底部２１には、排水用開口部２３が設けられている。排水用開口部２３には、コネクタ３０が接続されている。この例では、コネクタ３０は、本体３１を有している。本体３１は、底部３１ａと、底部３１ａの外縁に沿って起立する周壁部３１ｂとを有している。本体３１の底部３１ａには、排水用開口部３２が設けられている。更に、コネクタ３０は、フランジ部３３を有している。フランジ部３３は、本体３１に設けられている。この例では、フランジ部３３は、本体３１の周壁部３１ｂに設けられている。フランジ部３３は、その外周面に周溝３４を有している。周溝３４は、図２に示すように、防水パン２０の排水用開口部２３を形作る底部２１の縁部を保持している。この例では、コネクタ３０のフランジ部３３と防水パン２０の底部２１との間は、２つのシール部材３５及び３６によってシールされている。
【００１９】
コネクタ３０には、排水部４０が接続されている。この例では、排水部４０は、エルボ４１を有している。エルボ４１は、コネクタ３０の本体３１に接続されている。この例では、エルボ４１の一端部が本体３１の周壁部３１ｂに接続されている。エルボ４１は、例えば、洗い場の排水口（図示省略）と共に、排水管（図示省略）に通じさせることができる。この例では、エルボ４１の内側は、コネクタ３０の底部３１ａの位置まで、液体（例えば、排水）Ｗ２で満たされている。これにより、この例では、液体Ｗ２で満たされたトラップ４２がエルボ４１の内側に構成されている。
【００２０】
防水パン２０と排水部４０との間には、浴室ユニット用排水弁（以下、単に「排水弁」ともいう。）１が配置されている。この例では、排水弁１は、コネクタ３０の本体３１の内側に収納されている。図３Ａ及び図３Ｂには、排水弁１を示す。
【００２１】
図３Ａ及び図３Ｂ中、符号２は、排水弁１の本体である。本体２は、図３Ｂに示すように、浴槽１０からの排水を行う浴槽側排水孔３と、防水パン２０からの排水を行う防水パン側排水孔４とを有している。本実施形態では、防水パン側排水孔４は、複数の防水パン側排水孔４ａで構成されている。これにより、防水パン側排水孔４からの大きなゴミの排出を防止することができる。防水パン側排水孔４は、浴槽側排水孔３と同様、１つの孔とすることができる。また、浴槽側排水孔３は、防水パン側排水孔４と同様、複数の孔で構成することができる。
【００２２】
図３Ａ及び図３Ｂ中、符号５は、排水弁１の閉塞板である。図４Ａ〜図４Ｃには、閉塞板５の断面図を示す。図４Ａ等に示すように、閉塞板５は、折曲部５１を有している。本実施形態では、折曲部５１は、閉塞板５の中間部に配置されている。また、折曲部５１は、本体２の下方に回転可能に支持されている。これにより、閉塞板５は、折曲部５１を基点として揺動させることができる。
【００２３】
本実施形態では、図３Ｂに示すように、閉塞板５は、２つの軸部５４を有している。２つの軸部５４は、図３Ｂに示すように、平面視で、閉塞板５の幅方向両側に、当該閉塞板５と一体に設けられている。また、２つの軸部５４は、図３Ｂに示すように、平面視で、折曲部５１の延在軸Ｏと同軸上に間隔を置いて配置されている。他方、本実施形態では、図３Ｂに示すように、本体２は、２つの突起部５５を有している。２つの突起部５５は、図３Ａに示すように、本体２の下面２ｆに、当該本体２と一体に設けられている。また、２つの突起部５５は、図３Ｂに示すように、平面視で、浴槽側排水孔３及び防水パン側排水孔４が整列する方向に対して直交する方向であって、折曲部５１の延在軸Ｏに対して平行に間隔を置いて配置されている。更に、図３Ａに示すように、２つの突起部５５にはそれぞれ、支持孔５６が形成されている。２つの突起部５５はそれぞれ、図３Ａに示すように、支持孔５６によって閉塞板５の軸部５４を回転可能に支持している。これにより、閉塞板５は、折曲部５１を基点として揺動させることができる。なお、閉塞板５は、他の方法を用いることにより、本体２に対して揺動させることもできる。
【００２４】
排水弁１では、閉塞板５は、本体２の浴槽側排水孔３に向かって揺動させることができる。このとき、図４Ａに示すように、折曲部５１の一方の側部分（以下、「浴槽側閉塞部」ともいう）５２は、本体２の浴槽側排水孔３を閉塞する。また、本実施形態では、閉塞板５は、本体２の防水パン側排水孔４に向かって揺動させることができる。このとき、図４Ｂに示すように、折曲部５１の他方の側部分（以下、「防水パン側閉塞部」ともいう）５３は、本体２の防水パン側排水孔４を閉塞する。このように、閉塞板５が折曲部５１を基点とした揺動をすれば、折曲部５１の両側に設けられた浴槽側閉塞部５２及び防水パン側閉塞部５３は、本体２に設けられた、浴槽側排水孔３と、防水パン側排水孔４とを交互に閉じることができる。
【００２５】
閉塞板５は、図４Ａ等に示すように、常態において、浴槽側排水孔３を閉じていると共に防水パン側排水孔４を開いているように構成されている。こうした構成は、例えば、浴槽側閉塞部５２よりも防水パン側閉塞部５３を重くしたり、後述するように、閉塞板５の材料、当該材料の比重等の物理的又は化学的性質等を選択することによって実現することができる。ここで、「常態」とは、閉塞板５が本体２に対して殆ど自重のみによって支持されている状態をいう。本実施形態では、閉塞板５がトラップ４２に満たされた液体Ｗ２中で、本体２に対して支持されている状態をいう。更に、本実施形態では、閉塞板５は、防水パン側閉塞部５３にバランサ６を有している。即ち、本実施形態では、閉塞板５は、折曲部５１、浴槽側閉塞部５２及び防水パン側閉塞部５３並びにバランサ６を有している。これにより、閉塞板５は、常態において、より安定して、浴槽側排水孔３を閉じていると共に防水パン側排水孔４を開いている。
【００２６】
排水弁１は、更に、シール部材７を有している。シール部材７は、本体２の外周面に取り付けられている。図２に示すように、シール部材７は、排水弁１をコネクタ３０の本体３１の内側に収納した状態において、排水弁１とコネクタ３０との間をシールする。また、閉塞板５は、図２に示すように、排水弁１をコネクタ３０に収納した状態において、コネクタ３０に設けられた排水用開口部３２を貫通している。これにより、閉塞板５は、排水弁１をコネクタ３０に収納した状態においても、本体２に対して揺動させることができる。
【００２７】
排水弁１は、主として、３つの機能を発揮する。以下、それぞれの機能について説明する。
【００２８】
［第１の機能］
第１の機能は、主として、浴槽１０からの排水を行わない場合及び浴槽１０からの排水が完了した場合に発揮される。ここで、「浴槽１０からの排水を行わない場合」とは、例えば、浴槽１０の排水口１３に栓をしたまま、使用者が積極的に浴槽１０からの排水を行わない場合である。また、「浴槽１０からの排水が完了する」とは、当該浴槽１０内の水位Ｌが少なくとも当該浴槽１０の最も低い内底面１１ｆと一致するか、当該浴槽１０の排水口１３よりも低い位置になることをいう。言い換えれば、「浴槽１０からの排水が完了する」とは、当該浴槽１０内の水位Ｌがゼロ以下になることをいう。
【００２９】
本実施形態では、浴槽１０からの排水を行わない場合及び浴槽１０からの排水が完了した場合、閉塞板５は、図４Ａに示すように、本体２の浴槽側排水孔３を閉じていると共に当該本体２の防水パン側排水孔４を開いているように構成されている。即ち、本実施形態では、閉塞板５が常態において浴槽側排水孔３を閉じていると共に防水パン側排水孔４を開いているように構成され、更に、防水パン側閉塞部５３にバランサ６を有している。この場合、閉塞板５は、常態において、より強固に、浴槽側排水孔３を閉じている。これにより、防水パン２０からの排水が、排水弁１の防水パン側排水孔４を通して排水部４０に大量に行われても、当該排水部４０の液体Ｗ２が、排水弁１の浴槽側排水孔３を通って浴槽１０に逆流することがない。
【００３０】
［第２の機能］
第２の機能は、主として、浴槽１０からの排水を行う場合に発揮される。ここで、「浴槽１０からの排水を行う場合」とは、例えば、使用者が浴槽１０の排水口１３から前記栓を抜いて、当該浴槽１０からの排水を行う場合である。
【００３１】
本実施形態では、浴槽１０内の水位Ｌが所定水位（本実施形態では、「予め設定された設定水位」をいう。以下、同様。）Ｌｓよりも高い水位で（即ち、当該高い水位の状態から）浴槽１０からの排水が行われると、閉塞板５は、図４Ａの状態から図４Ｂに示すように、浴槽側排水孔３を開くと同時に防水パン側排水孔４を閉じているように構成されている。即ち、本実施形態では、閉塞板５が常態において浴槽側排水孔３を閉じていると共に防水パン側排水孔４を開いているように構成され、更に、防水パン側閉塞部５３にバランサ６を有している。この場合、浴槽１０内の水位Ｌが設定水位Ｌｓよりも高い状態で当該浴槽１０からの排水が行われると、迅速に、浴槽側排水孔３を開くと同時に防水パン側排水孔４を閉じる。これにより、浴槽１０からの排水が、排水弁１の浴槽側排水孔３を通して排水部４０に大量に行われても、当該排水部４０の液体Ｗ２が、排水弁１の防水パン側排水孔４を通って防水パン２０に逆流することがない。なお、バランサ６の重さは、設定水位Ｌｓより高い水位の場合には、防水パン側排水孔４を閉じ続けているように調整しておくことができる。
【００３２】
なお、ここで、設定水位Ｌｓとは、図１に示すように、浴槽１０の内底面１１ｆからの高さをいう。設定水位Ｌｓは、例えば、浴槽１０の形状、当該浴槽１０の大きさ（容量）、排水量、排水弁１の構造、浴室ユニットの配管構造、等に応じて、適宜設定することができる。例えば、浴槽１０の水位Ｌが１〜１０段階まで設定され、当該設定段階に応じたお湯張りが可能な場合、図１に示すように、最も水位の低い設定段階（例えば、「設定レベル１」）での水位Ｌ１を設定水位Ｌｓ（＝Ｌ１）とすることができる。
【００３３】
［第３の機能］
第３の機能も、主として、浴槽１０からの排水を行う場合に発揮される。本実施形態では、前述のように、高水位の状態から排水を始めて、浴槽１０内の水位Ｌが設定水位Ｌｓ以下になると、浴槽１０からの排水が完了するまで、図４Ｃに示すように、水位Ｌの低下に従って、図４Ｂの状態から図４Ａの状態に戻るように、徐々に、浴槽側排水孔３を閉じていきつつ防水パン側排水孔４を開いていく。浴槽１０からの排水が完了すると、再び図４Ａに示すように、浴槽側排水孔３が閉じられると同時に防水パン側排水孔４が開かれる。本実施形態では、閉塞板５が常態において浴槽側排水孔３を閉じていると共に防水パン側排水孔４を開いているように構成され、更に、防水パン側閉塞部５３にバランサ６を有している。この場合、閉塞板５は、防水パン側排水孔４を開く方向に揺動し易くなる一方、浴槽側排水孔３を開く方向に揺動し難くなる。
【００３４】
なお、本実施形態において、閉塞板５は、浴槽１０内の水位Ｌが設定水位Ｌｓ以下である場合、浴槽１０からの排水を開始すると、図４Ａの状態から図４Ｃに示すように浴槽側排水孔３を開きつつ防水パン側排水孔４を閉じていき、その後、水位Ｌの低下に従って、再び、浴槽側排水孔３を閉じつつ防水パン側排水孔４を開いていき、浴槽１０からの排水が完了すると、浴槽側排水孔３を閉じると同時に防水パン側排水孔４を開くように挙動することになる。
【００３５】
従来の浴室ユニットの排水構造の場合でも、高水位の状態から排水を開始すると、浴槽側排水孔３を開いていると同時に防水パン側排水孔４を閉じているが、低水位になった場合、浴槽側排水孔３を通した浴槽１０からの排水が十分スムーズに行われないことがある。これは、浴槽１０内に溜まった液体Ｗ１の排水を行うとき、防水パン側排水孔４が閉じられているためと考えられる。即ち、防水パン側排水孔４が閉じられているため、浴槽１０内の液体Ｗ１と共に、排水弁１の浴槽側排水孔３を通して排水部４０に導入された圧力を防水パン側排水孔４から逃がせないためと考えられる。こうした圧力の影響は、特に、この例の浴室ユニットの排水構造に係る排水部４０のように、当該排水部４０のエルボ４１内が液体Ｗ２で満たされている場合に大きい。これは、エルボ４１内に満たされた液体Ｗ２に浴槽１０内からの液体Ｗ１の排水が行われることにより、エルボ４１内の圧力が高まることで、浴槽１０から排水される液体Ｗ１の流れが妨げられるためであると考えられる。
【００３６】
これに対し、本実施形態によれば、浴槽１０内の水位Ｌが設定水位Ｌｓ以下になると、図４Ｂに示す状態から図４Ｃに示すように、浴槽１０からの排水が完了するまで、水位Ｌの低下に従って、浴槽側排水孔３を閉じていきつつ防水パン側排水孔４を開いていく。言い換えれば、設定水位Ｌｓ以下になると、浴槽１０からの排水が完了するまで、防水パン側排水孔４は浴槽側排水孔３と共に開かれている。更に言い換えれば、例えば、設定水位Ｌｓ以下になると、水位Ｌが設定水位Ｌｓよりも高いときに図４Ａの状態から図４Ｂの状態に移行するまでに要する時間よりも、図４Ｂの状態から図４Ｃの状態を経て図４Ａの状態に移行するまでに要する時間の方が長くなる。このため、本実施形態によれば、浴槽１０内の水位Ｌが設定水位Ｌｓ以下で、浴槽１０からの排水が行われると、浴槽１０から排水される液体Ｗ１を浴槽側排水孔３から排出しつつ、排水部４０に導入された前記圧力を、防水パン側排水孔４から抜くことができる。従って、本実施形態によれば、浴槽１０内の水位Ｌが低いときも、浴槽側排水孔３を通した浴槽１０からの排水をスムーズに行うことができる。
【００３７】
本発明では、閉塞板５は、上記の機能を果たすように構成されている限り、その構造、材料は特定に限定されない。例えば、以下に例示するように構成することができる。
【００３８】
図３Ａ及び図３Ｂ等に示すように、本実施形態では、閉塞板５は、防水パン側閉塞部５３にバランサ６を有している。本例では、バランサ６は、当該バランサ６を除く、閉塞板５よりも比重の大きな材料とすることによって構成されている。ここで、「バランサ６を除く閉塞板５」の比重は、バランサ６を除く閉塞板５の主要部分、即ち、折曲部５１、浴槽側閉塞部５２及び防水パン側閉塞部５３からなる部分の平均比重を指すものとする。
【００３９】
この例では、閉塞板５は、合成樹脂で構成することができる。本実施形態では、閉塞板５は、ＡＢＳ（アクリロニトリル−ブタジエン−スチレン共重合体）樹脂で構成されている。また、本実施形態では、防水パン側閉塞部５３は、浴槽側閉塞部５２よりも重くなるように構成されている。本実施形態では、図３Ｂに示すように、平面視で、防水パン側閉塞部５３を浴槽側閉塞部５２よりも大きくすることにより、防水パン側閉塞部５３を浴槽側閉塞部５２よりも重くしている。これに対し、バランサ６は、合成樹脂によりも比重の大きい金属で構成することができる。本実施形態では、バランサ６は、ステンレス鋼で構成されている。閉塞板５とバランサ６との比重の関係は、例えば、浴槽１０の形状、当該浴槽１０の大きさ（容量）、排水量、排水弁１の構造、浴室ユニットの配管構造、等に応じて、適宜設定することができる。
【００４０】
本実施形態では、例えば、適当なバランサ６を適宜選択し、当該バランサ６を閉塞板５に取り付けるだけの簡単な作業により、浴槽側閉塞部５２と防水パン側閉塞部５３との間の開閉タイミング、浴槽側閉塞部５２と防水パン側閉塞部５３との間の水位Ｌに応じた開閉スピード等の、閉塞板５の動作性能を自由に設定することができる。また、本実施形態によれば、例えば、バランサ６の個数を増減させることにより、閉塞板５を変更することなく、浴槽１０からの排水をスムーズに行うことができる。
【００４１】
バランサ６は、閉塞板５に対して接着剤を使用して取り付けることができる。この場合、閉塞板５とバランサ６とは、凹凸嵌合させることができる。また、閉塞板５は、バランサ６をインサート品として、当該バランサ６と一体に成形することができる。更に、バランサ６は、ボルト等の締結手段を用いて閉塞板５に取り付けることもできる。即ち、閉塞板５に対してバランサ６を取り付ける方法には、様々な方法を用いることができる。
【００４２】
更に、図３Ａ等に示すように、本実施形態において、閉塞板５は、防水パン側閉塞部５３の先端５ｅ側にバランサ６を有していることが好ましい。ここで、「防水パン側閉塞部５３の先端５ｅ側」とは、閉塞板５の防水パン側閉塞部５３において、折曲部５１側とは反対側の端側をいう。この場合、浴槽１０からの排水が行われるときの、当該排水に対する閉塞板５の応答性能が高まるため、浴槽１０からの排水をより迅速かつスムーズに行うことができる。
【００４３】
第１〜第３の機能は、バランサ６を用いることなく、閉塞板５を以下の構成とすることにより実現することもできる。この例では、閉塞板５は、例えば、閉塞板５の材料、当該材料の比重等の物理的又は化学的性質等を選択することによって構成されたものとすることができる。即ち、本発明の他の実施形態では、バランサ６を省略することができる。
【００４４】
本発明の第２実施形態では、バランサ６を用いることなく、閉塞板５のみを用いるものとし、当該閉塞板５は、浴槽側閉塞部５２と防水パン側閉塞部５３とを異なる材料とすることによって構成されたものとすることができる。
【００４５】
この例では、閉塞板５は、浴槽側閉塞部５２と防水パン側閉塞部５３とを異なる樹脂材料とすることによって構成されたものとすることができる。
【００４６】
本実施形態では、浴槽側閉塞部５２の材料と防水パン側閉塞部５３の材料とを適宜選択することにより、浴槽側閉塞部５２と防水パン側閉塞部５３との間の開閉タイミング、浴槽側閉塞部５２と防水パン側閉塞部５３との間の水位Ｌに応じた開閉スピード等の、閉塞板５の動作性能を自由に設定することができる。また、本実施形態によれば、例えば、閉塞板５を変更することなく、浴槽１０からの排水をスムーズに行うこともできる。
【００４７】
更に、本発明の更に他の実施形態では、バランサ６を用いることなく、閉塞板５のみを用いるものとし、当該閉塞板５は、防水パン側閉塞部５３を、浴槽側閉塞部５２よりも比重の大きな材料とすることによって構成されたものとすることができる。
【００４８】
本発明の第３実施形態に係る浴室ユニットの排水構造では、バランサ６を用いることなく、閉塞板５のみを用いるものとし、当該閉塞板５は、防水パン側閉塞部５３を、浴槽側閉塞部５２よりも比重の大きな材料とすることによって構成されている。
【００４９】
本実施形態では、簡易な構成で、低水位時の浴槽１０からの排水をスムーズに行うことができる。
【００５０】
なお、閉塞板５が防水パン側閉塞部５３を浴槽側閉塞部５２よりも比重の大きな材料とする場合、例えば、浴槽側閉塞部５２に使用される材料と、防水パン側閉塞部５３に使用される材料とに同一種類の材料を選択し、当該材料のグレードを異ならせることもできる。或いは、防水パン側閉塞部５３に使用される材料に、鉄粉、充填剤等を配合させることにより、防水パン側閉塞部５３を浴槽側閉塞部５２よりも比重の大きな材料とすることもできる。
【００５１】
また、第２及び第３実施形態において、浴槽側閉塞部５２及び防水パン側閉塞部５３は、例えば、二色成形で形成することができる。或いは、第２及び第３実施形態において、浴槽側閉塞部５２及び防水パン側閉塞部５３は、当該浴槽側閉塞部５２及び防水パン側閉塞部５３の一方をインサート品として、浴槽側閉塞部５２及び防水パン側閉塞部５３の他方を一体に成形することができる。更に、第２及び第３実施形態において、浴槽側閉塞部５２及び防水パン側閉塞部５３は、当該浴槽側閉塞部５２及び防水パン側閉塞部５３を予め別々に形成し、これらを組み付けて形成することもできる。
【００５２】
上述のとおり、本発明によれば、浴槽１０内の水位が低いときも、当該浴槽１０からの排水をスムーズに行うことができる浴室ユニットの排水構造を提供することができる。
【００５３】
上述したところは、本発明の様々な実施形態の一例であって、特許請求の範囲の記載によれば、種々の変更が可能である。例えば、上述した各実施形態に係る、浴室ユニットの排水構造に採用されている各構成は、互いに適宜に置き換えて、又は、組み合わせて使用することができる。
【符号の説明】
【００５４】
１：浴室ユニット用排水弁，  ２：本体，  ３浴槽側排水孔：，  ４：防水パン側排水孔，  ５：閉塞板，  ５１：折曲部，  ５２：浴槽側閉塞部，  ５３：防水パン側閉塞部，  ６：バランサ，  ７：シール部材，  １０：浴槽，  ２０：防水パン，  ３０：コネクタ，  ４０：排水部，  ４１：エルボ，  ４２：トラップ，  Ｌ：水位，  Ｌｓ：設定水位，  Ｗ１：液体，  Ｗ２：液体
【図１】
2019011650.tif 000003
【図２】
2019011650.tif 000004
【図３Ａ】
2019011650.tif 000005
【図３Ｂ】
2019011650.tif 000006
【図４Ａ】
2019011650.tif 000007
【図４Ｂ】
2019011650.tif 000008
【図４Ｃ】
2019011650.tif 000009